(57)【要約】【課題】複数名の人物が検知されている際に処理を継続しつつ、パスワードの漏洩を防止することができる認証装置を提供する。【解決手段】認証装置は、外部からの文字列の入力を受け付ける入力部と、前記入力部を含む領域を撮影するカメラの映像を解析する映像解析部と、前記映像解析部の解析により複数名の人物が検知されていない場合と複数名の人物が検知されている場合とで前記入力部に入力された文字列と照合する文字列を変更する文字列変更部と、を備えた。【選択図】図１
2016218817.tif 000002
【特許請求の範囲】
【請求項１】
外部からの文字列の入力を受け付ける入力部と、
前記入力部を含む領域を撮影するカメラの映像を解析する映像解析部と、
前記映像解析部の解析により複数名の人物が検知されていない場合と複数名の人物が検知されている場合とで前記入力部に入力された文字列と照合する文字列を変更する文字列変更部と、
を備えた認証装置。
【請求項２】
パスワードを記憶した記憶部、
を備え、
前記文字列変更部は、前記映像解析部の解析により複数名の人物が検知されていない場合は前記入力部に入力された文字列と照合する文字列を前記記憶部に記憶されたパスワードの文字列とし、前記映像解析部の解析により複数名の人物が検知されている場合は前記入力部に入力された文字列と照合する文字列を現時刻の文字列とする請求項１に記載の認証装置。
【請求項３】
パスワードを記憶した記憶部、
を備え、
前記文字列変更部は、前記映像解析部の解析により複数名の人物が検知されていない場合は前記入力部に入力された文字列と照合する文字列を前記記憶部に記憶されたパスワードの文字列とし、前記映像解析部の解析により複数名の人物が検知されている場合は前記入力部に入力された文字列と照合する文字列を現時刻に予め設定された時間幅を加算した時刻の文字列とする請求項１に記載の認証装置。
【請求項４】
パスワードを記憶した記憶部、
を備え、
前記文字列変更部は、前記映像解析部の解析により複数名の人物が検知されていない場合は前記入力部に入力された文字列と照合する文字列を前記記憶部に記憶されたパスワードの文字列とし、前記映像解析部の解析により複数名の人物が検知されている場合は前記入力部に入力された文字列と照合する文字列を前記記憶部に記憶されたパスワードと現時刻とを合わせた文字列とする請求項１に記載の認証装置。
【請求項５】
パスワードを記憶した記憶部、
を備え、
前記文字列変更部は、前記映像解析部の解析により複数名の人物が検知されていない場合は前記入力部に入力された文字列と照合する文字列を前記記憶部に記憶されたパスワードの文字列とし、前記映像解析部の解析により複数名の人物が検知されている場合は前記入力部に入力された文字列と照合する文字列を前記記憶部に記憶されたパスワードと現時刻に予め設定された時間幅を加算した時刻とを合わせた文字列とする請求項１に記載の認証装置。
【請求項６】
前記映像解析部の解析により検知された人物の数に応じて表示装置の表示方法を変更する表示制御部、
を備えた請求項１から請求項５のいずれか一項に記載の認証装置。
【発明の詳細な説明】
【技術分野】
【０００１】
この発明は、認証装置に関する。
【背景技術】
【０００２】
特許文献１は、認証装置を開示する。当該認証装置は、複数名の人物が検知されている際にパスワードの入力処理を中断する。その結果、パスワードの漏洩を防止することができる。
【先行技術文献】
【特許文献】
【０００３】
【特許文献１】特開２００６−０３９８４１号公報
【発明の概要】
【発明が解決しようとする課題】
【０００４】
しかしながら、特許文献１に記載のものにおいては、複数名の人物が検知されている際に処理を継続することができない。
【０００５】
この発明は、上述の課題を解決するためになされた。この発明の目的は、複数名の人物が検知されている際に処理を継続しつつ、パスワードの漏洩を防止することができる認証装置を提供することである。
【課題を解決するための手段】
【０００６】
この発明に係る認証装置は、外部からの文字列の入力を受け付ける入力部と、前記入力部を含む領域を撮影するカメラの映像を解析する映像解析部と、前記映像解析部の解析により複数名の人物が検知されていない場合と複数名の人物が検知されている場合とで前記入力部に入力された文字列と照合する文字列を変更する文字列変更部と、を備えた。
【発明の効果】
【０００７】
この発明によれば、複数名の人物が検知されていない場合と複数名の人物が検知されている場合とで入力部に入力された文字列と照合する文字列が変更される。このため、複数名の人物が検知されている際に処理を継続しつつ、パスワードの漏洩を防止することができる。
【図面の簡単な説明】
【０００８】
【図１】この発明の実施の形態１における認証装置が適用された入退室管理システムの構成図である。
【図２】この発明の実施の形態１における認証装置のハードウェア構成図である。
【図３】この発明の実施の形態１における認証装置による電子錠の制御を説明するためのフローチャートである。
【図４】この発明の実施の形態１における認証装置による表示装置の制御を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における認証装置が適用された入退室管理システムの構成図である。
【００１１】
図１に示すように、入退室管理システム１は、扉２とカメラ３と表示装置４と認証装置５とセンタ装置６とを備える。
【００１２】
扉２は、入退室を管理する領域の出入口に設けられる。カメラ３は、扉２の周囲に設けられる。表示装置４は、扉２の周囲に設けられる。例えば、表示装置４は、ＬＥＤである。認証装置５は、扉２の周囲に設けられる。センタ装置６は、管理室等に設けられる。
【００１３】
認証装置５は、入力部５ａと映像解析部５ｂとパスワード記憶部５ｃと差分記憶部５ｄと現時刻判定部５ｅと文字列変更部５ｆと抽出部５ｇとパスワード照合部５ｈと時刻照合部５ｉと表示制御部５ｊと制御部５ｋとを備える。
【００１４】
入退室管理システム１において、センタ装置６は、パスワード記憶部５ｃと差分記憶部５ｄとに記憶される情報を入力したり変更したりする。カメラ３は、認証装置５の入力部５ａを含む領域を撮影する。
【００１５】
入力部５ａは、利用者の操作により外部からの文字列の入力を受け付ける。映像解析部５ｂは、カメラ３の映像を解析する。パスワード記憶部５ｃは、パスワードの情報を記憶する。差分記憶部５ｄは、時間幅の情報を記憶する。現時刻判定部５ｅは、現時刻を判定する。例えば、現時刻判定部５ｅは、時計、レジスタ、カウンタ等である。
【００１６】
文字列変更部５ｆは、映像解析部５ｂの解析結果に基づいて入力部５ａに入力された文字列と照合する文字列を設定する。例えば、映像解析部５ｂの解析により複数名の人物が検知されていない場合、文字列変更部５ｆは、入力部５ａに入力された文字列と照合する文字列をパスワード記憶部５ｃに記憶されたパスワードの文字列とする。例えば、映像解析部５ｂの解析により複数名の人物が検知されている場合、文字列変更部５ｆは、入力部５ａに入力された文字列と照合する文字列を現時刻判定部５ｅに判定された時刻に差分記憶部５ｄに記憶された時間幅を加算した時刻の文字列とする。
【００１７】
抽出部５ｇは、入力部５ａに入力された文字列を抽出する。パスワード照合部５ｈは、抽出部５ｇに抽出された文字列とパスワード記憶部５ｃに記憶されたパスワードの文字列とを照合する。現時刻判定部５ｅは、抽出部５ｇに抽出された文字列と現時刻判定部５ｅに判定された時刻に差分記憶部５ｄに記憶された時間幅を加算した時刻の文字列とを照合する。
【００１８】
表示制御部５ｊは、表示装置４の表示状態を制御する。例えば、映像解析部５ｂの解析により複数名の人物が検知されていない場合、表示制御部５ｊは、表示装置４の消灯を維持する。例えば、映像解析部５ｂの解析により複数名の人物が検知されている場合、表示制御部５ｊは、表示装置４の点灯を維持する。
【００１９】
制御部５ｋは、認証装置５の各部の動作を制御する。例えば、映像解析部５ｂの解析により複数名の人物が検知されていない場合、制御部５ｋは、パスワード照合部５ｈの照合結果に基づいて扉２の電子錠を制御する。具体的には、抽出部５ｇに抽出された文字列とパスワード記憶部５ｃに記憶されたパスワードの文字列とが一致した場合、制御部５ｋは、扉２の電子錠を解く。例えば、映像解析部５ｂの解析により複数名の人物が検知されている場合、制御部５ｋは、時刻照合部５ｉの照合結果に基づいて扉２の電子錠を制御する。具体的には、抽出部５ｇに抽出された文字列と現時刻判定部５ｅに判定された時刻に差分記憶部５ｄに記憶された時間幅を加算した時刻の文字列とが一致した場合、制御部５ｋは、扉２の電子錠を解く。
【００２０】
次に、図２を用いて、認証装置５の例を説明する。
図２はこの発明の実施の形態１における認証装置のハードウェア構成図である。
【００２１】
認証装置５の各機能は、処理回路により実現される。例えば、処理回路は、少なくとも１つのプロセッサ７ａと少なくとも１つのメモリ７ｂとを備える。例えば、処理回路は、少なくとも１つの専用のハードウェア８を備える。
【００２２】
処理回路が少なくとも１つのプロセッサ７ａと少なくとも１つのメモリ７ｂとを備える場合、認証装置５の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、認証装置５の各機能を実現する。少なくとも１つのプロセッサ７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００２３】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、認証装置５の各機能それぞれは、処理回路で実現される。例えば、認証装置５の各機能は、まとめて処理回路で実現される。
【００２４】
認証装置５の各機能について、一部を専用のハードウェア８で実現し、一部をソフトウェア又はファームウェアで実現してもよい。例えば、入力部５ａの機能については専用のハードウェア８としての処理回路で実現し、制御部５ｋ等の機能ついては少なくとも１つのプロセッサ７ａが少なくとも１つのメモリ７ｂに格納されたプログラムを読み出して実行することによって実現してもよい。
【００２５】
このように、処理回路は、ハードウェア８、ソフトウェア、ファームウェア、又はこれらの組み合わせによって、認証装置５の各機能を実現する。
【００２６】
次に、図３を用いて、認証装置５による電子錠の制御を説明する。
図３はこの発明の実施の形態１における認証装置による電子錠の制御を説明するためのフローチャートである。
【００２７】
ステップＳ１では、制御部５ｋは、文字列が入力部５ａに入力されたか否かを判定する。ステップＳ１で文字列が入力部５ａに入力されていない場合は、ステップＳ１が繰り返される。ステップＳ１で文字列が入力部５ａに入力された場合は、ステップＳ２に進む。
【００２８】
ステップＳ２では、制御部５ｋは、映像解析部５ｂの解析により複数名の人物が検知されているか否かを判定する。
【００２９】
ステップＳ２で映像解析部５ｂの解析により複数名の人物が検知されていない場合は、ステップＳ３に進む。ステップＳ３では、制御部５ｋは、パスワード照合部５ｈの照合結果に基づいて入力部５ａに入力された文字列が認証されたか否かを判定する。具体的には、抽出部５ｇに抽出された文字列とパスワード記憶部５ｃに記憶されたパスワードの文字列とが一致した場合、制御部５ｋは、入力部５ａに入力された文字列が認証されたと判定する。抽出部５ｇに抽出された文字列とパスワード記憶部５ｃに記憶されたパスワードの文字列とが一致しない場合、制御部５ｋは、入力部５ａに入力された文字列が認証されないと判定する。
【００３０】
ステップＳ３で入力部５ａに入力された文字列が認証された場合は、ステップＳ４に進む。ステップＳ４では、制御部５ｋは、扉２の電子錠を解く。その後、電子錠の制御が終了する。ステップＳ３で入力部５ａに入力された文字列が認証されない場合は、ステップＳ４を経由することなく電子錠の制御が終了する。
【００３１】
ステップＳ２で映像解析部５ｂの解析により複数名の人物が検知されている場合は、ステップＳ５に進む。ステップＳ５では、制御部５ｋは、時刻照合部５ｉの照合結果に基づいて入力部５ａに入力された文字列が認証されたか否かを判定する。具体的には、入力部５ａに入力された文字列と現時刻判定部５ｅに判定された時刻に差分記憶部５ｄに記憶された時間幅を加算した時刻の文字列とが一致した場合、制御部５ｋは、入力部５ａに入力された文字列が認証されたと判定する。入力部５ａに入力された文字列と現時刻判定部５ｅに判定された時刻に差分記憶部５ｄに記憶された時間幅を加算した時刻の文字列とが一致しない場合、制御部５ｋは、入力部５ａに入力された文字列が認証されないと判定する。
【００３２】
ステップＳ５で入力部５ａに入力された文字列が認証された場合は、ステップＳ４に進む。ステップＳ４では、制御部５ｋは、扉２の電子錠を解く。その後、電子錠の制御が終了する。ステップＳ５で入力部５ａに入力された文字列が認証されない場合は、ステップＳ４を経由することなく電子錠の制御が終了する。
【００３３】
次に、図４を用いて認証装置５による表示装置４の制御を説明する。
図４はこの発明の実施の形態１における認証装置による表示装置４の制御を説明するためのフローチャートである。
【００３４】
ステップＳ１１では、制御部５ｋは、映像解析部５ｂの解析により複数名の人物が検知されているか否かを判定する。
【００３５】
ステップＳ１１で映像解析部５ｂの解析により複数名の人物が検知されていない場合は、ステップＳ１２に進む。ステップＳ１２では、制御部５ｋは、表示制御部５ｊに消灯指令を送信する。表示制御部５ｊは、当該消灯指令に基づいて表示装置４の消灯を維持する。その後、表示装置４の制御が終了する。
【００３６】
ステップＳ１１で映像解析部５ｂの解析により複数名の人物が検知されている場合は、ステップＳ１３に進む。ステップＳ１３では、制御部５ｋは、表示制御部５ｊに点灯指令を送信する。表示制御部５ｊは、当該点灯指令に基づいて表示装置４の点灯を維持する。その後、表示装置４の制御が終了する。
【００３７】
以上で説明した実施の形態１によれば、複数名の人物が検知されていない場合と複数名の人物が検知されている場合とで入力部５ａに入力された文字列と照合する文字列が変更される。このため、複数名の人物が検知されている際に処理を継続する利便性を維持し、パスワードの漏洩を防止することができる。
【００３８】
具体的は、映像解析部５ｂの解析により複数名の人物が検知されていない場合は、入力部５ａに入力された文字列と照合する文字列は、パスワード記憶部５ｃに記憶されたパスワードの文字列となる。映像解析部５ｂの解析により複数名の人物が検知されている場合は、入力部５ａに入力された文字列と照合する文字列は、現時刻に予め設定された時間幅を加算した時刻の文字列となる。この際、覗き見で知り得る文字列は、現時刻に予め設定された時間幅を加算した時刻の文字列となる。この場合、覗き見した人物に対し、現時刻に関する文字列を入力していることを分かりにくくすることができる。その結果、入退室を管理する領域のセキュリティを維持することができる。
【００３９】
なお、利用者に対しては、時間幅の分だけ進んだ時計を渡しておけばよい。この場合、利用者が入力すべき文字列が分からなくなることを防止できる。
【００４０】
また、映像解析部５ｂの解析により複数名の人物が検知されている場合に、入力部５ａに入力された文字列と照合する文字列を現時刻の文字列としてもよい。この場合も、入退室を管理する領域のセキュリティをある程度維持することができる。
【００４１】
また、映像解析部５ｂの解析により複数名の人物が検知されている場合に、入力部５ａに入力された文字列と照合する文字列をパスワード記憶部５ｃに記憶されたパスワードと現時刻とを合わせた文字列としてもよい。この場合も、入退室を管理する領域のセキュリティを維持することができる。
【００４２】
また、映像解析部５ｂの解析により複数名の人物が検知されている場合に、入力部５ａに入力された文字列と照合する文字列をパスワード記憶部５ｃに記憶されたパスワードと現時刻に予め設定された時間幅を加算した時刻とを合わせた文字列としてもよい。この場合も、入退室を管理する領域のセキュリティを維持することができる。
【００４３】
この際、時刻の文字列をパスワードの文字列のどの位置に挿入してもよい。また、現時刻の文字列を年月日も含めた文字列としてもよい。また、時間幅は、利用者毎に設定してもよい。また、パスワードの文字列は、映像解析部５ｂの解析により複数名の人物が検知されていない場合におけるパスワードの文字列と異なる文字列としてもよい。
【００４４】
ただし、パスワードの文字列と現時刻の文字列とを断続的に入力させることは第三者にパスワードの文字列を盗まれる恐れがある。このため、入力部５ａに入力された文字列と照合する文字列をパスワードの文字列と現時刻の文字列とをつなげた文字列とする場合は、当該文字列が連続的に入力されない際に当該文字列を認証しなければよい。
【００４５】
また、映像解析部５ｂの解析により検知された人物の数に応じて表示装置４の表示方法を変更すればよい。この場合、利用者は、状況に応じて入力部５ａに入力すべき文字列を認識することができる。その結果、利用者の混乱を防止することができる。
【００４６】
例えば、映像解析部５ｂの解析により複数名の人物が検知されていない場合に表示装置４の点灯を維持し、映像解析部５ｂの解析により複数名の人物が検知されている場合に表示装置４の消灯を維持してもよい。また、表示装置４の消灯を維持するかわりに、表示装置４を点滅させてもよい。これらの場合も、利用者の混乱を防止することができる。
【００４７】
また、認証装置５の画面を表示装置４としてもよい。この場合も、当事者の混乱を防止することができる。
【００４８】
また、第三者の目に届かない位置に表示装置４を配置するとよい。この場合、入力部５ａに入力すべき文字列の変更が第三者に察知されることを防止できる。
【符号の説明】
【００４９】
１  入退室管理システム、  ２  扉、  ３  カメラ、  ４  表示装置、  ５  認証装置、  ５ａ  入力部、  ５ｂ  映像解析部、  ５ｃ  パスワード記憶部、５ｄ  差分記憶部、  ５ｅ  現時刻判定部、  ５ｆ  文字列変更部、  ５ｇ  抽出部、  ５ｈ  パスワード照合部、  ５ｉ  時刻照合部、  ５ｊ  表示制御部、  ５ｋ  制御部、  ６  センタ装置、  ７ａ  プロセッサ、  ７ｂ  メモリ、  ８  ハードウェア
【図１】
2016218817.tif 000003
【図２】
2016218817.tif 000004
【図３】
2016218817.tif 000005
【図４】
2016218817.tif 000006